(57)【要約】      （修正有）【課題】組み立てた状態で、所望の戒名に変更することができる位牌を提供する。【解決手段】本実施形態における位牌は、天板付内胴１０と、台座付外胴２０とを有する。天板付内胴は、中空又は中実の棒体であり、外壁面の断面形状が円形の形状である内胴１２０と、内胴の外壁面に設けられた複数の法名表示部とを有する。また、台座付外胴は、内胴外径より内径が大きい中空の棒体であり、内壁面の断面形状が円形の形状である外胴２２０と、外胴の壁面に穿設され、複数の法名表示部のうち、１つの前記法名表示部を表示する程度の大きさであるスリットとを有する。【選択図】図６
0003221933.tif 000002
【実用新案登録請求の範囲】
【請求項１】
中空又は中実の棒体であり、外壁面の断面形状が円形の形状である第１の胴部と、
前記第１の胴部の外壁面に設けられた複数の法名表示領域と、
前記第１の胴部の外径より内径が大きい中空の棒体であり、内壁面の断面形状が円形の形状である第２の胴部と、
前記第２の胴部の壁面に穿設され、複数の前記法名表示領域のうち、１つの前記法名表示領域を表示する程度の大きさである貫通部と
を有する位牌。
【請求項２】
前記貫通部は、前記第２の胴部の長さ方向において、当該第２の胴部の一方の端面から他方の端面まで連続して設けられ、
前記第２の胴部の断面形状は、前記貫通部を設けた位置において、Ｃの字の形状に形成されている
請求項１に記載の位牌。
【請求項３】
前記第１の胴部を含む第１部材と、前記第２の胴部を含む第２部材とは、木材により形成され、少なくとも一部に漆が塗布されている
請求項２に記載の位牌。
【考案の詳細な説明】
【技術分野】
【０００１】
本考案は、位牌に関するものである。
【背景技術】
【０００２】
例えば、特許文献１には、側面に複数の各故人の戒名が外周方向に並べて書かれる戒名柱部と、該戒名柱部を回転自在に収納し、正面に戒名柱部の複数のうちの１つの戒名が見える窓が開設された中空状の位牌本体と、上記戒名柱部と位牌本体との間に設けられ、上記戒名柱部を各戒名が上記位牌本体の窓と対面する各回転位置に位置決めする手段と、上記戒名柱部を上記位牌本体の外方から手操作にて回転させる手段とを備えたことを特徴とする位牌が開示されている。
【０００３】
また、特許文献２には、台座と天板との間に挿入できるようにした箱胴を備え、箱胴は八角柱状で側面の各面には窓を設け、複数枚の戒名板を上方から挿入できるようにスリットを設けると共に、側面に開口された窓から、最前列の戒名板を表出させるようにした繰出位牌が開示されている。
【先行技術文献】
【特許文献】
【０００４】
【特許文献１】実開平７−２７３８９号公報
【特許文献２】意匠登録第１３９７６５２号
【考案の概要】
【考案が解決しようとする課題】
【０００５】
本考案は、組み立てた状態で、所望の戒名に変更することができる位牌を提供することを目的とする。
【課題を解決するための手段】
【０００６】
本考案に係る位牌は、中空又は中実の棒体であり、外壁面の断面形状が円形の形状である第１の胴部と、前記第１の胴部の外壁面に設けられた複数の法名表示領域と、前記第１の胴部の外径より内径が大きい中空の棒体であり、内壁面の断面形状が円形の形状である第２の胴部と、前記第２の胴部の壁面に穿設され、複数の前記法名表示領域のうち、１つの前記法名表示領域を表示する程度の大きさである貫通部とを有する。
【０００７】
好適には、前記貫通部は、前記第２の胴部の長さ方向において、当該第２の胴部の一方の端面から他方の端面まで連続して設けられ、前記第２の胴部の断面形状は、前記貫通部を設けた位置において、Ｃの字の形状に形成されている。
【０００８】
好適には、前記第１の胴部を含む第１部材と、前記第２の胴部を含む第２部材とは、木材により形成され、少なくとも一部に漆が塗布されている。
【考案の効果】
【０００９】
本考案によれば、組み立てた状態で、所望の戒名に変更することができる。
【図面の簡単な説明】
【００１０】
【図１】実施例における位牌１の組み立てた状態を例示する斜視図である。
【図２】図１に例示する位牌１を分離した状態を例示する斜視図である。
【図３】組み立てた状態の位牌１の構成を例示する六面図である。
【図４】天板付内胴１０の構成を例示する六面図である。
【図５】台座付外胴２０の構成を例示する六面図である。
【図６】実施例における位牌１の使用方法を説明する図である。
【図７】実施例における位牌１の変形例を説明する図である。
【考案を実施するための形態】
【００１１】
以下、本考案に係る実施形態を、図面を参照して説明する。ただし、本考案の範囲は、図示例に限定されるものではない。
まず、図１〜図５を参照し、位牌１の構成を説明する。
図１は、実施例における位牌１の組み立てた状態を例示する斜視図である。
図２は、図１に例示する位牌１を分離した状態を例示する斜視図である。
図３は、組み立てた状態の位牌１の構成を例示する六面図である。
図１、図２及び図３に例示するように、位牌１は、天板付内胴１０と、台座付外胴２０とを有する。本例の天板付内胴１０及び台座付外胴２０は、木材で形成され、漆を塗布されている。これにより、位牌１は、意匠性および耐久性が向上する。
【００１２】
（天板付内胴１０の構成）
図４は、天板付内胴１０の構成を例示する六面図である。
図１、図２及び図４に例示するように、天板付内胴１０は、天板１００と内胴１２０とを有し、天板１００と内胴１２０とが一体となっている。天板付内胴１０は、天板１００と内胴１２０とをそれぞれ形成し、これらを接合して一体としてもよいし、１つの木材から天板１００と内胴１２０とを一体的に形成してもよい。本例の天板付内胴１０は、別々に天板１００と内胴１２０と形成し、これらを接合して一体としたものである。
天板１００は、屋根の形状に形成された装飾であり、屋根部１０２と装飾部１０４とを有する。
屋根部１０２は、図４に例示した平面視及び底面視において、円形の形状であり、図４に例示した正面視において、一方面は平面状に形成され、他方面は凸曲面状に形成されている。即ち、屋根部１０２は、角を丸めた円錐台の形状に形成されている。屋根部１０２における平面側には、内胴１２０が設けられている。屋根部１０２の直径は、図４に例示した正面視において、内胴１２０の直径よりも大きく、さらに、図２に例示した正面視において、後述する外胴２２０の直径よりも大きい。
また、屋根部１０２における凸曲面側には、装飾部１０４が設けられている。装飾部１０４は、例えば、宝珠の形状に形成された装飾となっている。
【００１３】
内胴１２０は、図１及び図２に例示したように、屋根部１０２の平面側に設けられた棒体である。内胴１２０の外壁面の断面形状は、図４に例示した正面視および底面視において、円形の形状に形成されている。すなわち、内胴１２０は、円柱の形状に形成されている。なお、内胴１２０の外壁面の断面形状は、後述する外胴２２０の内壁面の断面形状と同様に、円形の形状となっている。内胴１２０は、中空状すなわち内側がくり抜かれた筒状であってもよいし、中実状すなわち内側をくり抜いていない棒状であってもよい。本例の内胴１２０は、中実となっている。
また、図２に例示したように、内胴１２０の外径直径ＯＤは、外胴２２０の内径直径ＩＤよりも小さい。これにより、内胴１２０は、外胴２２０の内側に挿入できると共に、外胴２２０の内側に挿入した状態で回転することができる。また、内胴１２０の外壁面には、法名表示部１２２が設けられている。
なお、内胴１２０は、本発明に係る第１の胴部の一例である。
【００１４】
法名表示部１２２は、図２に例示したように、内胴１２０の外壁面に設けられた、法名（戒名ともいう）を表示する領域である。法名表示部１２２には、例えば、故人の法名や死亡年月日等を表示する。内胴１２０の外壁面には、複数の法名表示部１２２が設けられている。複数の法名表示部１２２は、例えば、内胴１２０の円周方向において、内胴１２０の外壁面を複数に等分した領域となっており、本例の法名表示部１２２は、内胴１２０の円周方向において、内胴１２０の外壁面を６等分した領域となっている。なお、６等分した各法名表示部１２２は、法名表示部１２２Ａ、法名表示部１２２Ｂ、法名表示部１２２Ｃ、法名表示部１２２Ｄ（不図示）、法名表示部１２２Ｅ（不図示）、及び法名表示部１２２Ｆ（不図示）とする。以下、法名表示部１２２Ａ〜法名表示部１２２Ｆを特に区別する必要がない場合は、単に法名表示部１２２と称呼する。また、複数の法名表示部１２２の幅Ｗは、後述するスリット２２２の幅Ｗとも略同じ幅となっている。
なお、法名表示部１２２は、本発明に係る法名表示領域の一例である。
【００１５】
（台座付外胴２０の構成）
図５は、台座付外胴２０の構成を例示する六面図である。
図１、図２及び図５に例示するように、台座付外胴２０は、台座２００と外胴２２０とを有し、台座２００と外胴２２０とが一体となっている。台座付外胴２０は、台座２００と外胴２２０とをそれぞれ形成し、これらを接合して一体としてもよいし、１つの木材から台座２００と外胴２２０とを一体的に形成してもよい。本例の台座付外胴２０は、別々に台座２００と外胴２２０と形成し、これらを接合して一体としたものである。
台座２００は、略錐台の形状に形成された装飾用の台座である。本例の台座２００は、図５に例示した正面視及び平面視において、円錐台の形状に形成されている。また、台座２００は、２つの平面のうち直径の小さい平面側に外胴２２０を設けている。
【００１６】
外胴２２０は、図２及び図５に例示したように、中空状の棒体、すなわち筒体である。外胴２２０は、台座２００の２つの平面のうち直径の小さい平面側に設けられている。
外胴２２０の内壁面の断面形状は、内胴１２０の外壁面の断面形状と同様に、円形の形状となっている。また、外胴２２０には、後述するスリット２２２を設けている。そのため、外胴２２０の断面形状は、後述するスリット２２２を設けた位置において、Ｃの字の形状となっている。なお、本例の外胴２２０は、外胴２２０の長さ方向において、外胴２２０の一方の端面から他方の端面まで連続してスリット２２２を設けているため、本例の外胴２２０の断面形状は、外胴２２０の一方の端面から他方の端面まで連続してＣの字の形状となっている。
また、外胴２２０の内径直径ＩＤは、図２に例示したように、内胴１２０の外径直径ＯＤよりも大きい。即ち、外胴２２０は、外胴２２０の内側に対して、内胴１２０を回転自在に挿入することができる。また、外胴２２０の壁面には、スリット２２２が設けられている。なお、外胴２２０は、本発明に係る第２の胴部の一例である。
【００１７】
スリット２２２は、図２に例示したように、外胴２２０の壁面に穿設されれた穴であり、本例のスリット２２２は、外胴２２０の長さ方向において、外胴２２０の一方の端面から他方の端面まで連続して設けられている。これにより、スリット２２２は、法名表示部１２２をより大きく表示することができる。
また、スリット２２２の幅Ｗは、内胴１２０の外壁面に設けられた法名表示部１２２の幅Ｗと略同じ幅である。なお、スリット２２２は、本発明に係る貫通部の一例である。
このように、本例の位牌１は、天板付内胴１０と、台座付外胴２０とにより構成されている。
【００１８】
次に、図６を参照し、位牌１の使用方法を説明する。
図６は、実施例における位牌１の使用方法を説明する図である。図６（Ａ）は、法名表示部１２２Ｂが表示された位牌１を例示し、図６（Ｂ）は、法名表示部１２２Ｂの一部と、法名表示部１２２Ａの一部とが表示された位牌１を例示し、図６（Ｃ）は、法名表示部１２２Ａが表示された位牌１を例示している。
図６では、使用者がスリット２２２に表示されている法名表示部１２２Ｂから法名表示部１２２Ａに切り替える場合を具体例として説明し、図６（Ａ）、図６（Ｂ）、図６（Ｃ）の順で法名表示部１２２Ｂから法名表示部１２２Ａに切り替わるものとする。
図６（Ａ）に例示するように、使用者は、台座付外胴２０を固定しながら、装飾部１０４を摘み、天板付内胴１０を回転方向に回転させる。これにより、天板付内胴１０は、内胴１２０と共に、回転方向に回転する。そして、位牌１は、図６（Ｂ）の状態に移行する。
【００１９】
次に、図６（Ｂ）に例示するように、使用者は、天板付内胴１０を回転方向にさらに回転させる。これにより、天板付内胴１０は、内胴１２０と共に、回転方向にさらに回転する。そして、位牌１は、図６（Ｃ）の状態に移行する。
【００２０】
次に、図６（Ｃ）に例示するように、使用者は、天板付内胴１０を回転方向にさらに回転させ、スリット２２２の幅と法名表示部１２２Ａの幅とを合わせ、スリット２２２に法名表示部１２２Ａの全体が表示されるよう、回転方向における天板付内胴１０の角度を調整する。
このように、使用者は、天板付内胴１０と台座付外胴２０とを組み合わせた状態で、天板付内胴１０を回転させることにより、スリット２２２に表示される法名表示部１２２を所望の法名に変更することができる。なお、天板付内胴１０のみを回転させスリット２２２に表示される法名表示部１２２を切り替える場合を説明したが、天板付内胴１０と台座付外胴２０と相対的に回転させてもよい。
【００２１】
以上説明したように、本実施形態における位牌１によれば、天板付内胴１０と台座付外胴２０とを組み合わせた状態で回転させることができるため、スリット２２２に表示される法名表示部１２２を、所望の法名表示部１２２に記載された法名に適宜変更することができる。
以上、本考案に係る実施形態について説明したが、これらに限定されるものではなく、考案の趣旨を逸脱しない範囲内において、種々の変更、追加等が可能である。
【００２２】
次に、上記実施例における変形例を説明する。
なお、変形例では、上記実施例と実質的に同一の機能、構成を有する要素については、同一の符号を付することにより重複説明を省略する。
［変形例］
図７は、実施例における位牌１の変形例を説明する図である。
上記実施形態では、天板１００と内胴１２０と有する天板付内胴１０と、台座２００と外胴２２０とを有する台座付外胴２０とにより構成した位牌１を説明したが、これに限定するものではなく、内胴１２０と外胴２２０とを入れ替えてもよい。
図７に例示するように、本例の位牌２は、天板１００と外胴２２０とを有する天板付内胴１０と、台座２００と内胴１２０とを有する台座付外胴２０とにより構成してもよい。
この位牌２の使用方法において、使用者は、スリット２２２に表示される法名表示部１２２を切り替える場合に、装飾部１０４を摘み天板付内胴１０を固定しながら、台座付外胴２０を回転方向に回転させる。これにより、使用者は、スリット２２２に表示される所望の法名表示部１２２になるよう切り替えることができる。なお、台座付外胴２０のみを回転させスリット２２２に表示される法名表示部１２２を切り替える場合を説明したが、天板付内胴１０と台座付外胴２０と相対的に回転させてもよい。
【符号の説明】
【００２３】
１、２    位牌
１０      天板付内胴
１００    天板
１０２    屋根部
１０４    装飾部
１２０    内胴
１２２    法名表示部
２０      台座付外胴
２００    台座
２２０    外胴
２２２    スリット
【図１】
0003221933.tif 000003
【図２】
0003221933.tif 000004
【図３】
0003221933.tif 000005
【図４】
0003221933.tif 000006
【図５】
0003221933.tif 000007
【図６】
0003221933.tif 000008
【図７】
0003221933.tif 000009